(57)【特許請求の範囲】
【請求項１】
挿入口から挿入された紙葉類を搬送通路に沿って搬送する搬送手段と，前記搬送手段によって搬送された紙葉類を識別し，収納部材に収容する紙葉類識別収納装置において，
前記搬送手段は，前記挿入された紙葉類を搬送通路に送り込む搬送ベルトと，前記搬送ベルトの駆動及び案内を行うプーリと，前記プーリを固定する固定部材とを備え，
前記固定部材は前記搬送通路の内側を形成する内側部材の通路側に設けられていることを特徴とする紙葉類識別収納装置。
【請求項２】
請求項１記載の紙葉類識別収納装置において，前記搬送通路は外側部材と前記内側部材との間に形成され，前記固定部材は，前記外側部材を開くことにより着脱可能に形成されていることを特徴とする紙葉類識別収納装置。
【請求項３】
請求項２記載の紙葉類識別収納装置において，前記外側部材は回転軸に沿って回動することによって開成し，前記回転軸は，前記搬送ベルトの終端より収納部材側にあることを特徴とする紙葉類識別収納装置。
【発明の詳細な説明】
【０００１】
【産業上の利用分野】
本発明は，紙，紙幣，手紙，葉書等の紙葉類を識別して収納する装置に関し，詳しくは，搬送ベルトと搬送ベルトに用いられるプーリの固定構造に関する。
【０００２】
【従来の技術】
従来，例えば，図４に示される紙葉類識別収納装置が知られている。図４を参照して，従来の紙葉類識別収納装置は，前面を構成する内側部材５０と，後面を構成する外側部材６０と，下部を構成する収納部材７０とを備えている。
【０００３】
内側部材５０と外側部材６０との間には，手前側に挿入口５３が形成され，この挿入口５３から夫々の壁部によって，収納部材７０に至る逆Ｌ字型の搬送通路５４が形成されている。
【０００４】
内側部材５０は前方に突出した前面部５１と前面部５１の後ろ側に搬送部材５２を備えている。前面部５１の上面は挿入口５３の下側とこれに連続する搬送通路５４の下面を形成している。
【０００５】
搬送部材５２には，搬送通路５４側に突出した磁気ヘッド５５と光学センサー５６とが設けられている。また，搬送部材５２の上端と下端には，プーリ５７，５８が夫々設けられ，その間に搬送ベルト５９が懸架されている。
【０００６】
外側部材６０は，搬送通路５４に突出して，紙葉類の挿入を検知するための挿入検知爪６１が設けられ，内側部材５０のプーリ５７に接触するように，搬送通路５４側にローラ６２及び６３が設けられている。また，外側部材６０の下端寄りに搬送通路５４を水平方向に貫通してソレノイド６４によって駆動されるシャッター爪６５とを備えている。また，内側部材の光学センサー５６に搬送通路５４を介して対向して光学センサー６６が設けられている。また，搬送通路５４に突出してエスクロレバー６７と下端に突出して規制片６８が設けられている。
【０００７】
収納部材７０は，正面側にカセットレール７１を備えている。カセットレール７１の前方には，スタッカプレート７２及びスタッカリンク７３等のスタッカ部材７４を備えている。
【０００８】
カセットレール７１の上方には，プーリ５８と接触するローラ７５が設けられている。収納された紙葉類１００は，カセットスプリング７７によって，収容プレート７６を介して，カセットレール７１側に付勢されている。
【０００９】
図５は図４の従来例と同様の構成を有する他の従来例を機器に取り付けた状態を示す断面図である。図５を用いて，搬送ベルト５９と，プーリ５７，５８と，これらを固定した固定部材５２ａとを備えた搬送部材５２の着脱の操作について説明する。図５に示すように，まず，紙葉類識別収納装置を固定された機器８０の壁部の内側から取り外し，内側部材５０の前面部５１の固定ねじ８２，８２´を外して，前面部５１を取り外し、搬送部材を前記前面部５１の取り付けられていた位置の方に向かって手前に矢印８４に示すように引くと，搬送部材５２を引き出すことができる。したがって，図示の２点鎖線で示された状態で，搬送ベルト５９及びプーリ５７，５８を外していた。
【００１０】
【発明が解決しようとする課題】
従来の紙葉類判別収納装置の正面部分は，機器の前面に内側から取り付けられているので，紙葉類識別収納装置を装着している機器から取り外してから前面を取り外した後，紙葉類識別収納装置の内側部材を外し，プーリと搬送ベルトを固定する固定部材を外さないと，プーリと搬送ベルトの着脱ができなかったので，プーリーや搬送ベルトの故障の際の交換や修理が容易ではなかった。
【００１１】
そこで，本発明の技術的課題は，紙葉類識別収納装置を機器に装着した状態で，プーリと搬送ベルトの着脱が容易にできる紙葉類識別収納装置を提供することにある。
【００１２】
【課題を解決するための手段】
本発明によれば，挿入口から挿入された紙葉類を搬送通路に沿って搬送する搬送手段と，前記搬送手段によって搬送された紙葉類を識別し，収納部材に収容する紙葉類識別収納装置において，前記搬送手段は，前記挿入された紙葉類を搬送通路に送り込む搬送ベルトと，前記搬送ベルトの駆動及び案内を行うプーリと，前記プーリを固定する固定部材とを備え，前記固定部材は前記搬送通路の内側を形成する内側部材の通路側に設けられていることを特徴とする紙葉類識別収納装置が得られる。
【００１３】
また，本発明によれば，前記紙葉類識別収納装置において，前記搬送通路は外側部材と前記内側部材との間に形成され，前記固定部材は，前記外側部材を開くことにより着脱可能に形成されていることを特徴とする紙葉類識別収納装置が得られる。
【００１４】
また，本発明によれば，前記紙葉類識別収納装置において，前記外側部材は回転軸に沿って回動することによって開成し，前記回転軸は，前記搬送ベルトの終端より収納部材側にあることを特徴とする紙葉類識別収納装置が得られる。
【００１５】
【作用】
上記構成の本発明においては，紙葉類識別収納装置を機器に固定した状態で搬送通路の外側を形成する外側部材の開放が可能で，プーリーと搬送ベルトを固定する固定部材が外れる。したがって，プーリーと搬送ベルトの着脱が容易になる。
【００１６】
【実施例】
以下，本発明の実施例について，図面を参照して説明する。
【００１７】
図１は本発明の紙葉類識別装置の一例を示す正面断面図で，内側部材の内壁部は取り除いて示されている。図２は搬送通路の内側を形成する内側部材と搬送ベルトと，搬送ベルトのかかるプーリーと，プーリーと搬送ベルトを固定する固定部材を示す後面図である。図３は，搬送通路の外側を形成する外側部材を開いた状態の側面断面図である。
【００１８】
図１乃至図３を参照して，紙葉類識別収納装置は，前面を構成する内側部材５０と，後面を構成する外側部材６と，下部を構成する収納部材７０とを備えている。内側部材５０と外側部材６との境界部には，手前側に挿入口５３を構成し，この挿入口５３から夫々の壁部によって，収納部材７０に至る逆Ｌ字型の搬送通路５４を形成している。
【００１９】
内側部材５０は前方に突出した前面部５１と，前面部５１の後ろ側に，搬送手段をなす搬送部材１０を備えている。前面部５１上面は挿入口５３の下側とこれに連続する搬送通路５４の下面を形成している。搬送部材１０には，搬送通路５４側に突出した磁気ヘッドと光学センサーとが設けられているが，図示では省略されている。
【００２０】
また，搬送部材１０の上端と下端には，プーリ５７，５８が夫々設けられ，その間に搬送ベルト５９が懸加されている。
【００２１】
外側部材６は，搬送通路５４に突出して，挿入検知爪６１が設けられ，内側部材５０のプーリ５７に接触するように，ローラ６２及び６３が設けられている。また，内側部材５０の光学センサーに搬送通路５４を介して対向して光学センサーが設けられているが図面では省略されている。また，搬送通路５４の下端に突出して規制片６８が設けられている。
【００２２】
収納部材７０は，正面側にカセットレール７１を備えている。カセットレール７１の前方には，スタッカプレート７２及びスタッカリンク７３等のスタッカ部材７４を備えている。
【００２３】
カセットレール７１の上方には，プーリ５８と接触するローラ７５が設けられている。収納された紙葉類１００は，カセットスプリング７７によって，収納プレート７６を介して，カセットレール側７１に付勢されている。以上までは，従来と構成がほぼ同じである。
【００２４】
本発明の実施例に係る紙葉類識別収納装置は，搬送部材１０の搬送ベルト５９とプーリー５７，５８と固定部材１とが，外側部材６を外したときに取り外せる点で従来の紙葉類識別収納装置とは構成が異なっている。
【００２５】
図２及び図３を参照して，搬送部材１０は，プーリー５７，５８と，搬送ベルト５９と，固定部材１とを備えている。また，プーリー５７の一端には，プーリー５７の軸に接続され，図示しない駆動装置によって駆動するためのギア２が設けられている。また，固定部材１は，内側部材５０の内壁部３に固定ネジ４等によって取り付け可能に形成されている。
【００２６】
図３を参照して，搬送部材１０を取り出すには，後面側の外側部材６を手前に矢印１５に示す方向に引き出すと，外側部材６は回転軸７の回りに回転して後方に倒れるような状態で開放される。この状態から，固定ネジ４を外すと固定部材１を搬送部材１０を，後方に取り外すことができる。ベルト交換の後，先に述べた手順と逆の手順で，搬送部材１０を固定部材１で内側部材５０に固定し外側部材６を上方に押し上げて，ロックして，使用可能状態となる。
【００２７】
このように，本発明の実施例においては，紙葉類識別収納装置を機器の前面壁８０から取り外すことなく，外側部材６を全開にし，固定部材１を固定している固定ネジ４を外して取り出し，搬送部材１０を固定しているねじを外すことにより搬送ベルト５９とプーリー５６，５７が着脱できる。また，外側部材６を全開にすると外側部材６が搬送部材１０を覆わなくなるため，固定部材１の固定ネジ４を外すことにより固定部材１が取り外すことができ，搬送ベルト５９が交換できる。
【００２８】
【発明の効果】
以上，説明したように，本発明によれば，外側部材を全開にすると外側部材がが搬送手段を覆わなくなるため，固定部材の固定ネジを外すことによりプーリと搬送ベルトの固定部材が取り外せ，紙葉類識別収納装置を機器に装着した状態でプーリと搬送ベルトの交換が可能になる紙葉類識別収納装置を提供することができる。
【図面の簡単な説明】
【図１】本発明の紙葉類識別装置の一例を示す正面図である。
【図２】搬送通路の内側を形成する内側部材と搬送ベルトと，搬送ベルトのかかるプーリーと，プーリーと搬送ベルトを固定する固定部材を示した正面断面図である。
【図３】搬送通路の外側を形成する外側部材を開いた状態の側面図である。
【図４】従来例に係る紙葉類識別装置を示す側面断面図である。
【図５】図４の紙葉類識別装置の搬送部材の取り出し方法の説明に供せられる図である。
【符号の説明】
１    固定部材
２    ギア
３    内壁部
４    固定ネジ
６    外側部材
７    回転軸
１０    搬送部材
５０    内側部材
５１    前面部
５２    搬送部材
５３    挿入口
５４    搬送路
５５    磁気ヘッド
５６    光学センサー
５７，５８    プーリ
５９    搬送ベルト
６０    外側部材
６２，６３    ローラ
６６    光学センサー
６８    規制片
７０    収納部材
７１    カセットレール
７２    スタッカプレート
７３    スタッカリンク
７４    スタッカ部材
７５    ローラ
７６    収納プレート
７７    カセットスプリング
１００    紙葉類
【図１】
0003631795.tif 000002
【図２】
0003631795.tif 000003
【図３】
0003631795.tif 000004
【図４】
0003631795.tif 000005
【図５】
0003631795.tif 000006